(57)【要約】      （修正有）【課題】ガス吸着部を適切なタイミングで交換できるガス吸着器およびこれを備える煙道排ガス分析装置を提供する。【解決手段】煙道排ガスに含まれる除去対象成分を吸着するガス吸着部３１と、ガス吸着部の重量の変化を測定する測定部３２とを備えるガス吸着器３０であって、測定部はガス吸着部の重量に関する情報を報知する報知部３５を含むガス吸着器。測定部はガス吸着部の重量を検出するセンサ３４を含むガス吸着器。ガス吸着器とガス吸着器を通過した煙道排ガスに含まれる測定対象成分の濃度を測定するガス分析計４０とを備える煙道排ガス分析装置。【選択図】図２
2019002841.tif 000002
【特許請求の範囲】
【請求項１】
煙道排ガスに含まれる除去対象成分を吸着するガス吸着部と、
前記ガス吸着部の重量の変化を測定する測定部とを備える
ガス吸着器。
【請求項２】
前記測定部は、前記ガス吸着部の重量に関する情報を報知する報知部を含む
請求項１に記載のガス吸着器。
【請求項３】
前記測定部は、前記ガス吸着部の重量を検出するセンサを含む
請求項１または２に記載のガス吸着器。
【請求項４】
前記測定部は、前記ガス吸着部の重量の変化を測定できるように前記ガス吸着部と連結されたばね秤を含む
請求項１または２に記載のガス吸着器。
【請求項５】
前記測定部は、前記ガス吸着部と連動するように前記ガス吸着部に設けられた目盛針と、前記目盛針に指示される目盛と、前記ガス吸着部とは別の部分に固定される円盤、および、前記ガス吸着部と連結され、前記円盤に巻き掛けられた構造部を含む定滑車と、前記ガス吸着部の重量とバランスを取るために前記構造部に吊された錘とを含む
請求項１または２に記載のガス吸着器。
【請求項６】
前記測定部は、前記ガス吸着部の重量の変化を測定できるように前記ガス吸着部と連結された梃子秤を含む
請求項１または２に記載のガス吸着器。
【請求項７】
請求項１〜６のいずれか一項に記載のガス吸着器と、
前記ガス吸着器を通過した煙道排ガスに含まれる測定対象成分の濃度を測定するガス分析計とを備える
煙道排ガス分析装置。
【発明の詳細な説明】
【技術分野】
【０００１】
本発明は、ガス吸着器およびこれを備える煙道排ガス分析装置に関する。
【背景技術】
【０００２】
発電所等に設けられた煙道を介して排出される煙道排ガスは、燃料に応じて種々の成分を含む。煙道排ガスに含まれる特定成分の濃度を測定するために、煙道排ガス分析装置が煙道に接続される。また、煙道排ガス分析装置内の配管の詰まり等を抑制するため、煙道排ガスに含まれる除去対象成分を吸着できるよう、ガス吸着器が煙道排ガス分析装置に設けられている。除去対象成分が三酸化硫黄ミスト（以下「ＳＯ３ミスト」）である場合、ガス吸着器にはＳＯ３ミストを吸着するガス吸着部が設けられる。この例では、煙道排ガスに含まれるＳＯ３ミストがガス吸着部に吸着されることにより、配管の壁面へのＳＯ３ミストの付着による配管の詰まりが生じるおそれが低減される。なお、特許文献１は従来の煙道排ガス分析装置の一例を開示している。
【先行技術文献】
【特許文献】
【０００３】
【特許文献１】特開２００２−７１５３６号公報
【発明の概要】
【発明が解決しようとする課題】
【０００４】
煙道排ガス分析装置の使用期間が長くなるにつれ、ガス吸着部が吸着した除去対象成分の量（以下「吸着量」）が増加し、ガス吸着部による除去対象成分を吸着する性能が低下することにより、煙道排ガス分析装置の配管に詰まりが生じるおそれが生じる。また、使用する吸着剤の種類やガス吸着部の形態によっては、除去対象成分を吸着する性能の低下を外観から判断できない場合がある。このため、従来の煙道排ガス分析装置では、煙道排ガス分析装置の使用期間が所定期間に達する毎にガス吸着部が新しいガス吸着部に交換される。この交換方法では、ガス吸着部の吸着量に関わらずガス吸着部が交換されるため、ガス吸着部が効率的に使用されないおそれがある。なお、ここではＳＯ３ミストを吸着するガス吸着部を例にその課題について検討しているが、ＳＯ３ミスト以外の除去対象成分を吸着するガス吸着部が用いられる場合にも同様の課題が生じる。
【課題を解決するための手段】
【０００５】
（１）本発明に関するガス吸着器の一形態は、煙道排ガスに含まれる除去対象成分を吸着するガス吸着部と、前記ガス吸着部の重量の変化を測定する測定部とを備える。
ガス吸着部に吸着されている除去対象成分の量である吸着量が多くなるにつれてガス吸着部の重量が増加し、重量の増加が測定部により測定される。このため、ユーザは測定部の測定結果からガス吸着部の吸着量を確認し、ガス吸着部を適切なタイミングで交換できる。
【０００６】
（２）前記ガス吸着器の一例によれば、前記測定部は、前記ガス吸着部の重量に関する情報を報知する報知部を含む。
このため、ユーザは報知部により出力された情報を元に、ガス吸着部の交換時期が到来しているか否かを容易に認識できる。
【０００７】
（３）前記ガス吸着器の一例によれば、前記測定部は、前記ガス吸着部の重量を検出するセンサを含む。
このため、ガス吸着部の重量の変化が正確に測定される。
【０００８】
（４）前記ガス吸着器の一例によれば、前記測定部は、前記ガス吸着部の重量の変化を測定できるように前記ガス吸着部と連結されたばね秤を含む。
このため、測定部を容易に製造できる。
【０００９】
（５）前記ガス吸着器の一例によれば、前記測定部は、前記ガス吸着部と連動するように前記ガス吸着部に設けられた目盛針と、前記目盛針に指示される目盛と、前記ガス吸着部とは別の部分に固定される円盤、および、前記ガス吸着部と連結され、前記円盤に巻き掛けられた構造部を含む定滑車と、前記ガス吸着部の重量とバランスを取るために前記構造部に吊された錘とを含む。
錘が設けられるため、ガス吸着部に接続される配管にかかる負荷が軽減される。
【００１０】
（６）前記ガス吸着器の一例によれば、前記測定部は、前記ガス吸着部の重量の変化を測定できるように前記ガス吸着部と連結された梃子秤を含む。
このため、測定部を容易に製造できる。
【００１１】
（７）本発明に関する煙道排ガス分析装置の一形態は、上記（１）〜（６）のいずれかに記載のガス吸着器と、前記ガス吸着器を通過した煙道排ガスに含まれる測定対象成分の濃度を測定するガス分析計とを備える。
このため、測定対象成分の濃度が正確に測定される。
【発明の効果】
【００１２】
本発明に関するガス吸着器およびこれを備える煙道排ガス分析装置によれば、ガス吸着部を適切なタイミングで交換できる。
【図面の簡単な説明】
【００１３】
【図１】実施の形態１の煙道排ガス分析装置の概略図。
【図２】図１のガス吸着器の模式図。
【図３】実施の形態２のガス吸着器の模式図。
【図４】実施の形態３のガス吸着器の模式図。
【図５】実施の形態４のガス吸着器の模式図。
【発明を実施するための形態】
【００１４】
（実施の形態１）
図１を参照して、煙道排ガス分析装置１の構成について説明する。
煙道排ガス分析装置１は例えば発電所等に設けられた煙道（図示略）に接続され、煙道を介して排出される煙道排ガスに含まれる特定成分である測定対象成分の濃度を測定する装置である。
【００１５】
煙道排ガス分析装置１はプローブ１１、セパレータ１２、フィルタ１３、プリクーラ１４、ガス吸着器３０、および、複数の配管Ｐを備えている。プローブ１１は煙道を流れる煙道排ガスを試料ガスＳＧとして採取できるように煙道に設置されている。セパレータ１２はプローブ１１の下流側に設けられている。プローブ１１とセパレータ１２とは配管Ｐにより接続されている。セパレータ１２は試料ガスＳＧに含まれるドレン物質を分離して除去する。フィルタ１３はセパレータ１２の下流側に設けられている。セパレータ１２とフィルタ１３とは配管Ｐにより接続されている。フィルタ１３は試料ガスＳＧに含まれるダストを除去する。プリクーラ１４はフィルタ１３の下流側に設けられている。フィルタ１３とプリクーラ１４とは配管Ｐにより接続されている。プリクーラ１４はドレン物質およびダストが除去された試料ガスＳＧを除湿する。ガス吸着器３０はプリクーラ１４の下流側に設けられている。プリクーラ１４とガス吸着器３０とは複数の配管Ｐのうちの１つである供給管ＰＡにより接続されている。ガス吸着器３０は試料ガスＳＧに含まれる余分な成分である除去対象成分を吸着して試料ガスＳＧから除去する。除去対象成分の一例は三酸化硫黄（以下「ＳＯ３ミスト」）である。
【００１６】
煙道排ガス分析装置１はポンプ１５、クーラ１６、電磁弁１７、流量計１８、ガス分析計４０、調圧弁２１、ガスボンベ２２、および、コントローラ５０をさらに備えている。ポンプ１５はガス吸着器３０の下流側に設けられている。ポンプ１５とガス吸着器３０とは、複数の配管Ｐのうちの１つである排出管ＰＢにより接続されている。クーラ１６はポンプ１５の下流側に設けられている。ポンプ１５とクーラ１６とは、配管Ｐにより接続されている。ポンプ１５は吸入した試料ガスＳＧをクーラ１６に吐出する。クーラ１６は試料ガスＳＧの湿度がガス分析計４０における測定に適した湿度となるように試料ガスＳＧを除湿する。電磁弁１７はクーラ１６の下流側に設けられている。クーラ１６と電磁弁１７とは配管Ｐにより接続されている。電磁弁１７の一例は三方電磁弁である。電磁弁１７の第１ポートとガス分析計４０とは配管Ｐにより接続されている。この配管Ｐの途中には、流量計１８が設けられている。流量計１８はガス分析計４０に流入するガスの流量を計測する。電磁弁１７の第２ポートとガスボンベ２２とは配管Ｐにより接続されている。この配管Ｐの途中には、調圧弁２１が設けられている。ガスボンベ２２には標準ガスを充填されている。標準ガスはガス分析計４０の校正に用いられる。調圧弁２１はガスボンベ２２からガス分析計４０に供給される標準ガスの流量を調節する。
【００１７】
電磁弁１７はガス分析計４０に流入するガスの種類を切り替える。電磁弁１７がクーラ１６とガス分析計４０とを連通する場合、試料ガスＳＧがガス分析計４０に流入する。電磁弁１７がガスボンベ２２とガス分析計４０とを連通する場合、標準ガスがガス分析計４０に流入する。
【００１８】
ガス分析計４０は例えば赤外線吸収方式または化学発光方式等の方式を用いた分析計である。一例では、ガス分析計４０は赤外線吸収方式を用いた複光束式の分析計である。ガス分析計４０は例えば試料ガスＳＧに含まれる測定対象成分の濃度を測定する。測定対象成分の一例は二酸化硫黄（以下「ＳＯ２」）である。
【００１９】
コントローラ５０はポンプ１５および電磁弁１７と電気的に接続されている。コントローラ５０は操作部５１および制御部５２を備えている。操作部５１はユーザによる操作に基づいて操作信号を制御部５２に出力する。操作部５１は測定開始部５１Ａおよび校正開始部５１Ｂを含む。制御部５２は、ポンプ１５、電磁弁１７、および、ガス分析計４０を制御できるようにこれらの機器と電気的に接続されている。制御部５２は測定開始部５１Ａから操作信号を受信した場合、ポンプ１５の駆動を開始するようにポンプ１５を制御し、クーラ１６とガス分析計４０とが連通するように電磁弁１７を制御し、ガス分析計４０による測定対象成分の濃度の測定が開始されるようにガス分析計４０を制御する。制御部５２は校正開始部５１Ｂから操作信号を受信した場合、ガスボンベ２２とガス分析計４０とが連通するように電磁弁１７を制御し、ガス分析計４０による標準ガスに基づく校正が開始されるようにガス分析計４０を制御する。
【００２０】
図２を参照して、ガス吸着器３０の構成について説明する。
ガス吸着器３０はガス吸着部３１および測定部３２を備えている。ガス吸着部３１は吸着剤３１Ａおよびハウジング３１Ｂにより構成されている。吸着剤３１Ａは多孔質材料により構成されたフィルタであり、ハウジング３１Ｂに取り付けられている。一例では、吸着剤３１Ａは珪藻土を成型することにより形成される。珪藻土は、珪酸質の殻を有する微生物珪藻の殻が沈殿堆積することにより形成された微細多孔の白色軽質の物質であり、ＳＯ３ミストおよび水分を吸着する。吸着剤３１Ａの粒径は、除去対象成分を適切に吸着できるように決められることが好ましい。
【００２１】
測定部３２はガス吸着部３１の重量の変化を測定する。ガス吸着部３１の重量は、主にガス吸着部３１の吸着量の増加にともない変化する。このため、測定部３２により測定されるガス吸着部３１の重量の変化はガス吸着部３１の吸着量を反映している。測定部３２は支持台３３、センサ３４、および、報知部３５を含む。支持台３３はガス吸着部３１を支持している。センサ３４はガス吸着部３１の重量を検出できるように例えば支持台３３に設けられている。センサ３４の一例は圧電センサである。センサ３４はガス吸着部３１の重量を検出し、検出結果を報知部３５に出力する。ガス吸着部３１の重量の変化がセンサ３４により検出されるため、ガス吸着部３１の重量の変化が正確に測定される。報知部３５は例えばユーザが認識できるようにガス分析計４０に設けられている。
【００２２】
供給管ＰＡはＬ型配管であり、鉛直方向に延びる第１部分ＰＡ１、および、水平方向に延びる第２部分ＰＡ２により構成されている。第１部分ＰＡ１はプリクーラ１４（図１参照）と接続されている。第２部分ＰＡ２はガス吸着器３０の側部と接続されている。好ましい例では、供給管ＰＡおよび排出管ＰＢは、ガス吸着器３０の重量の増加にともない柔軟に変形するように弾性材料により形成される。弾性材料の一例は耐熱性および耐圧性に優れたふっ素ゴムである。
【００２３】
ガス吸着部３１に吸着された除去対象成分の量である吸着量が多くなるにつれてガス吸着部３１の重量が増加し、供給管ＰＡの第２部分ＰＡ２が撓み、排出管ＰＢが延びる。このため、支持台３３がガス吸着部３１から受ける荷重が大きくなり、ガス吸着部３１の重量の増加が測定部３２により測定される。報知部３５はセンサ３４から受信した情報に基づいてガス吸着部３１の重量に関する情報である重量情報を報知する。一例では、報知部３５は測定部３２により測定されたガス吸着部３１の重量の増加量が所定重量を超えている場合に重量情報を報知する。重量情報は、ガス吸着部３１の吸着量を含むガス吸着部３１の重量を示す情報、ガス吸着部３１の重量の増加量、ガス吸着部３１の吸着量を示す情報、および、ガス吸着部３１の交換時期が到来したことを示す情報の少なくとも１つを含む。報知部３５は文字、画像、音、および、音声のうちの１つまたは複数の手段により重量情報を報知する。一例では、報知部３５は「要交換」の文字を表示する。ガス吸着部３１の重量の増加量が所定重量以下である場合、ガス吸着部３１による除去対象成分の吸着能力が適切な水準に保たれている。ガス吸着部３１の重量の増加量が所定重量を超えている場合、ガス吸着部３１による除去対象成分の吸着能力が低下し、配管Ｐに詰まりが生じるおそれがある。好ましい例では、ユーザが所定重量を任意に設定できる。設定された所定重量はガス吸着器３０に設けられた記憶装置（図示略）に記憶される。
【００２４】
図１および図２を参照して、煙道排ガス分析装置１の動作について説明する。
コントローラ５０の測定開始部５１Ａが操作された場合、測定開始部５１Ａは操作信号を制御部５２に出力する。制御部５２は測定開始部５１Ａから操作信号を受信したことにともないポンプ１５、電磁弁１７、および、ガス分析計４０を制御する。制御部５２の制御によりポンプ１５の駆動が開始され、電磁弁１７によりクーラ１６とガス分析計４０とが連通され、ガス分析計４０による測定が開始される。試料ガスＳＧはプローブ１１、セパレータ１２、フィルタ１３、および、プリクーラ１４を順に通過し、ガス吸着部３１に流入する。吸着剤３１Ａは試料ガスＳＧに含まれるＳＯ３ミストを吸着する。試料ガスＳＧに含まれるＳＯ２は吸着剤３１Ａに吸着されず、吸着剤３１Ａを通過する。ガス吸着部３１を通過した試料ガスＳＧはポンプ１５、クーラ１６、電磁弁１７、および、流量計１８を順に通過し、ガス分析計４０に流入する。ガス分析計４０は流入した試料ガスＳＧに含まれる測定対象成分の濃度を測定する。ガス吸着部３１の重量の増加量が所定重量を超えた場合、報知部３５により重量情報が報知される。このため、ユーザは重量情報を元にガス吸着部３１を適切なタイミングで交換できる。また、ガス吸着部３１が適切なタイミングで交換されるため、煙道排ガス分析装置１により測定対象成分の濃度が正確に測定される。
【００２５】
（実施の形態２）
実施の形態２の煙道排ガス分析装置１は、以下に説明する点において実施の形態１の煙道排ガス分析装置１と相違し、その他の点において実施の形態１の煙道排ガス分析装置１と実質的に同じ構成を備える。
【００２６】
図３に示されるように、実施の形態２のガス吸着器３０は測定部３２（図２参照）に代えて測定部６０を備える。測定部６０は、ばね秤６１、ホルダ６４、および、報知部６５を含む。ホルダ６４はガス吸着部３１と連動するようにガス吸着部３１に設けられている。供給管ＰＡはポンプ１５とガス吸着器３０とを接続する適宜の形状を有し、ガス吸着部３１の底部に連結されている。排出管ＰＢはガス吸着部３１の上部に連結されている。ガス吸着部３１の重量が増加した場合、供給管ＰＡおよび排出管ＰＢが弾性変形することによりガス吸着部３１およびホルダ６４が下方に変位する。
【００２７】
ばね秤６１は、ガス吸着部３１の重量の変化を測定できるようにホルダ６４を介してガス吸着部３１と連結されている。ばね秤６１は本体６２、指標６２Ａ、フック６３、および、目盛６５Ａを含む。本体６２はガス吸着部３１とは別の部分に固定されている。その一例は煙道排ガス分析装置１を収容するハウジング（図示略）である。指標６２Ａおよびフック６３は本体６２内に設けられたばね（図示略）と連結されている。ホルダ６４はフック６３に引っ掛けられている。
【００２８】
報知部６５は指標６２Ａおよび目盛６５Ａにより構成されている。一例では、目盛６５Ａにはガス吸着部３１の交換時期が到来したことを示す「要交換」の文字が記載されている。ガス吸着部３１の重量の増加量が０である場合、指標６２Ａは図３の二点鎖線で示されるように、目盛６５Ａの初期値を指示する。ガス吸着部３１の重量が増加するにつれてばね秤６１のばね（図示略）が延び、ガス吸着部３１およびフック６３が下方に変位し、指標６２Ａによる目盛６５Ａの指示位置が変化する。ガス吸着部３１の重量の増加量が所定重量に達した場合、指標６２Ａは図３の実線で示されるように「要交換」を指示する。このため、ユーザはガス吸着部３１を適切なタイミングで交換できる。また、測定部６０がばね秤６１により構成されるため、測定部６０を容易に製造できる。
【００２９】
（実施の形態３）
実施の形態３の煙道排ガス分析装置１は、以下に説明する点において実施の形態１の煙道排ガス分析装置１と相違し、その他の点において実施の形態１の煙道排ガス分析装置１と実質的に同じ構成を備える。
【００３０】
図４に示されるように、実施の形態３のガス吸着器３０は測定部３２（図２参照）に代えて測定部７０を備える。測定部７０は定滑車７１、錘７４、ホルダ７５、および、報知部７６を含む。ホルダ７５はガス吸着部３１と連動するようにガス吸着部３１に設けられている。供給管ＰＡおよび排出管ＰＢの構成は実施の形態２と同様である。
【００３１】
定滑車７１は円盤７２および構造部７３を含む。円盤７２に設けられた回転中心軸７２Ａはガス吸着部３１とは別の部分に固定されている。構造部７３は円盤７２に巻き掛けられている。構造部７３は柔軟性を有する索状物である。索状物の一例はロープである。構造部７３の一方の端部はホルダ７５を介してガス吸着部３１と連結されている。構造部７３の他方の端部は錘７４と連結されている。錘７４はガス吸着部３１の重量とバランスを取るために構造部７３に吊るされている。このため、供給管ＰＡおよび排出管ＰＢにかかる負荷が軽減される。
【００３２】
報知部７６は、目盛７６Ａおよび目盛針７５Ａにより構成されている。目盛７６Ａはガス吸着部３１の側方に設けられ、ガス吸着部３１とは別の部分に固定されている。目盛針７５Ａはホルダ７５に設けられている。ガス吸着部３１の重量の増加量が０である場合、目盛針７５Ａは図４の二点鎖線で示されるように、目盛７６Ａの初期値を指示する。ガス吸着部３１の重量が増加するにつれてガス吸着部３１およびホルダ７５が下方に変位し、目盛針７５Ａによる目盛７６Ａの指示位置が変化する。ガス吸着部３１の重量の増加量が所定重量に達した場合、目盛針７５Ａは図４の実線で示されるように「要交換」を指示する。このため、ユーザはガス吸着部３１を適切なタイミングで交換できる。また、測定部７０が定滑車７１等により構成されるため、測定部７０を容易に製造できる。
【００３３】
（実施の形態４）
実施の形態４の煙道排ガス分析装置１は、以下に説明する点において実施の形態１の煙道排ガス分析装置１と相違し、その他の点において実施の形態１の煙道排ガス分析装置１と実質的に同じ構成を備える。
【００３４】
図５に示されるように、実施の形態４のガス吸着器３０は測定部３２（図２参照）に代えて測定部８０を備える。測定部８０は梃子秤８１、ホルダ８５、および、実施の形態３の報知部７６と同様の構成を有する報知部７６を含む。ホルダ８５はガス吸着部３１と連動するようにガス吸着部３１に設けられている。供給管ＰＡおよび排出管ＰＢの構成は実施の形態２と同様である。
【００３５】
梃子秤８１は、ガス吸着部３１の重量の変化を測定できるようにホルダ８５を介してガス吸着部３１の連結されている。梃子秤８１は支軸８２、回転板８３、および、錘８４を含む。支軸８２はガス吸着部３１とは別の部分に固定されている。回転板８３は支軸８２まわりに回転可能に支軸８２に支持されている。回転板８３の一方の端部はホルダ８５を介してガス吸着部３１と連結されている。回転板８３の他方の端部は接続部８３Ａを介して錘８４と連結されている。接続部８３Ａの一例はロープである。錘８４はガス吸着部３１の重量とバランスを取るために回転板８３に吊るされている。このため、供給管ＰＡおよび排出管ＰＢにかかる負荷が軽減される。
【００３６】
ガス吸着部３１の重量の増加量が０である場合、目盛針７５Ａは図５の二点鎖線で示されるように、目盛７６Ａの初期値を指示する。ガス吸着部３１の重量が増加するにつれて回転板８３が支軸８２まわりで回転し、目盛針７５Ａによる目盛７６Ａの指示位置が変化する。ガス吸着部３１の重量の増加量が所定重量に達した場合、目盛針７５Ａは図５の実線で示されるように「要交換」を指示する。このため、ユーザはガス吸着部３１を適切なタイミングで交換できる。また、測定部８０が梃子秤８１等により構成されるため、測定部８０を容易に製造できる。
【００３７】
（変形例）
上記各実施の形態に関する説明は本発明に関するガス吸着器およびこれを備える煙道排ガス分析装置が取り得る形態の例示であり、その形態を制限することを意図していない。本発明は上記各実施の形態以外に例えば以下に示される各実施の形態の変形例、および、相互に矛盾しない少なくとも２つの変形例が組み合わせられた形態を取り得る。
【００３８】
・実施の形態１の測定部３２は圧電センサとは別のセンサを含む。その一例は歪センサである。歪センサは支持台３３の変位に基づいてガス吸着部３１の重量を検出する。
・実施の形態１の測定部３２は報知部３５を省略した形態を取り得る。一例では、センサ３４はガス吸着部３１の重量を検出し、その重量に関する情報をＰＣ等に記憶させる。ユーザはＰＣ等を利用してガス吸着部３１の重量の変化を確認することにより、ガス吸着部３１を適切なタイミングで交換できる。
【００３９】
・実施の形態２の測定部６０は報知部６５を省略した形態を取り得る。一例では、測定部６０はガス吸着部３１の重量の増加量が所定重量に達した状態において、指標６２Ａが本体６２のうちの中間位置まで変位するように構成される。ユーザは指標６２Ａが本体６２のうちの中間位置まで変位したことを確認することにより、ガス吸着部３１を適切なタイミングで交換できる。
【００４０】
・実施の形態３の測定部７０は報知部７６を省略した形態を取り得る。一例では、測定部７０はガス吸着部３１の重量の増加量が所定重量に達した状態において、上下方向におけるホルダ７５の位置と錘７４の位置とが実質的に同じ位置を取るように構成される。ユーザはホルダ７５と錘７４との位置関係を確認することにより、ガス吸着部３１を適切なタイミングで交換できる。
【００４１】
・実施の形態４の測定部８０は報知部７６を省略した形態を取り得る。一例では、測定部８０はガス吸着部３１の重量の増加量が所定重量に達した状態において、回転板８３が水平となるように構成される。ユーザは回転板８３が水平となったことを確認することにより、ガス吸着部３１を適切なタイミングで交換できる。
【００４２】
・ガス吸着器３０は除去対象成分の一例であるアンモニア（以下「ＮＨ３」）を吸着するガス吸着部にも適用できる。この例では、煙道排ガス分析装置１は脱硝装置よりも下流側の煙道に接続される。また、煙道排ガス分析装置１はＳＯ３ミストを吸着するガス吸着部３１を含むガス吸着器３０（以下「第１ガス吸着器」）に加えて、ＮＨ３を吸着するガス吸着部を含むガス吸着器（以下「第２ガス吸着器」）を備えていてもよい。この例では、第１ガス吸着器および第２ガス吸着器は配管を介して直列に接続される。
【符号の説明】
【００４３】
１    ：煙道排ガス分析装置
３０  ：ガス吸着器
３１  ：ガス吸着部
３２  ：測定部
３４  ：センサ
３５  ：報知部
４０  ：ガス分析計
６０  ：測定部
６１  ：ばね秤
６５  ：報知部
７０  ：測定部
７１  ：定滑車
７２  ：円盤
７３  ：構造部
７４  ：錘
７５Ａ：目盛針
７６  ：報知部
７６Ａ：目盛
８０  ：測定部
８１  ：梃子秤
【図１】
2019002841.tif 000003
【図２】
2019002841.tif 000004
【図３】
2019002841.tif 000005
【図４】
2019002841.tif 000006
【図５】
2019002841.tif 000007